(57)【特許請求の範囲】
【請求項１】
公共下水処理場・公共屎尿処理場・産業廃棄物処理場・家畜飼育場で発生する汚泥・屎尿・有機産業廃棄物・家畜糞を堆肥化してこれを種菌とする堆肥(1)を５００Kgと、支障木(2)・木根株(3)・剪定枝(4)を破砕機(5)で破砕して加工した木粒(6)を２０Kgと、菌床廃オガ粉(7)を２００Kgと、魚・野菜等の生ごみを１００Kgの割合とする有機廃棄物(8)を混合機(9)で混合してなる混合物(10)を直径が略１ｍに設定した通気性のある出荷兼用の発酵促進用袋体(11)に充填して醗酵させることを特徴とする堆肥を利用して産業廃棄物を出荷用の袋内で醗酵させる工法。
【発明の詳細な説明】
【０００１】
【産業上の利用分野】
本発明は、堆肥を利用して産業廃棄物を出荷用の袋内で醗酵させる工法に関するものであり、公共下水処理場・公共尿尿処理場・産業廃棄物処理場・家畜飼育場等で発生する汚泥・屎尿・有機産業廃棄物・家畜糞を堆肥化した堆肥を、緑化工事の土に必要な空隙性・保水性・消臭機能を有する資材と混合し、加熱機や醗酵機械等を使用しないで袋詰めにし、一定の条件の下で再度自然醗酵させることによって各種の緑化工事用の土が得られるようにしたことを目的とする。
【０００２】
【従来の技術】
本願の出願人は、先にＰＭＣ（ピーエムシー）工法と呼ぶリサイクル緑化工法を提供した（特公平４−４５６１３号公報及び特公平６−７８６３０号公報参照）。そのＰＭＣ工法とは、公共下水汚泥や家畜兼等の有機質の廃棄物と木炭粉、又は当該有機質の廃棄物とパルプ製造時に生じるパルプ滓の焼却灰等各種産業から発生する焼却灰を混合した後醗酵させて有機質系の“生育基盤材”を生産し、この生育基盤材と、コンニャク飛粉を主原料とした植物性の肥料「ピーエムザイ（登録商標）」を用い、そのピーエムザイが持つ粘着材を使用して、緑化工事における植物の生育基盤の形成を行う工法である。
【０００３】
【発明が解決しようとする課題】
上記のＰＭＣ工法によって、従来工法で埴生基盤材として用いる黒土や山砂等の代用となるほか、肥料分も多く含まれている。さらに、山砂採取による自然破壊の防止と、廃棄物のリサイクルができる現代的な工法として有益である。
【０００４】
他方、前記のＰＭＣ工法において、有機質廃棄物の醗酵促進には、水分調整の出来不出来が醗酵完了の期間を左右する。本願出願人の前記従来工法では、キルン型醗酵機械を必ず使用する。そして、醗酵処理後、完熟するまで堆積場に２〜３ケ月の期間堆積しておく必要がある。そのため、醗酵機を設置するための高額な設備投資と、醗酵機内に高温熱風を送るための燃料費が必要となり、さらに堆肥として使用できる生育基盤材が得られるまでに早くても約２ケ月程度の長期間を要しているので、かなりの量をストックしておかないと急な大量入用に間に合わない恐れが往々にしてある。
【０００５】
また、原料として使用する公共下水汚泥等で生産する堆肥やパルプ製造時に生じるパルプ滓の焼却灰等各種産業から発生する焼却灰には、重金属が含まれ、その量が肥料取締り規制値以下でも農場等には毎年施肥することにより、重金属が蓄積されるため好ましくない。
【０００６】
【課題を解決するための手段】
そこで、本発明は従来工法の課題を解決し、且つ発明の目的を達成するために提供するものである。すなわち、本発明の第１は、堆肥を利用して産業廃棄物を出荷用の袋内で醗酵させる工法において、公共下水処理場・公共屎尿処理場・産業廃棄物処理場・家畜飼育場等で発生する汚泥、屎尿、有機産業物、家畜糞を堆肥化した堆肥を、他の有機廃棄物を醗酵させるための種菌として、その有機廃棄物と混合してなる混合物を通気性のある収容袋に充填して醗酵させるものである。
【０００７】
本発明の第２は、堆肥を利用して産業廃棄物を出荷用の袋内で醗酵させる工法において、公共下水処理場・公共屎尿処理場・産業廃棄物処理軒家畜飼育場等で生産している粒子の細かい堆肥を、支障木・大根掛菌床茸の廃オガ粉等を一定の粒子に破砕して、土の三相（有機物等の固体「固相」、水等の液体「液相」、空気「気相」）を整えて緑化工事の土として使用するものである。
【０００８】
【実施例】
次に本発明の実施例を図面を以て説明する。
図１は本発明に係る堆肥を利用して産業廃棄物を出荷用の袋内で醗酵させる工程を示す槻略説明図である。図において、１は公共下水処理場・公共屎尿処理場・産業廃棄物処理軒家畜飼育場等から発生する汚泥等からなる堆肥である。２は支障木、３は木根株、４は剪定枝、５は破砕機、６は前記支障木・木根株・剪定枝類を破砕機５で破砕して加工した木粒、7は菌床廃オガ粉、８は魚・野菜等の生ゴミ等からなる有機廃棄物である。９は混合機、１０は堆肥１と木粒６及び菌床廃オガ粉７・有機廃棄物８を混合機９で混合した混合物、１１は前記の混合物を袋詰めするための出荷兼用の醗酵用袋体である。前記の袋体は直径略１ｍに設定し、且つその袋体の周囲からの外部の空気がその袋体内部に向けて浸透するようになっている。この場合、１ton詰めするには、当該袋体の高さを少なくとも１ｍを必要とするのは自明である。図中１２は混合物１０を袋詰めした出荷兼用の醗酵用袋体１１を積み込んで出荷するための大型トラック等の輸送車輌を示す。
【０００９】
【具体的な製造工程例】
まず、支障木２・木根株３・剪定枝４を破砕機５で破砕して木粒６を製造する。そして、混合機９に堆肥１及び木粒６と菌床廃オガ粉７・有機廃棄物８を投入して混合する。混合を完了した混合物１０を出荷兼用醗酵用袋体１１に詰めて１ケ月から３ケ月位の所定の再醗酵期間堆積しておいてから、混合物１０を詰めた出荷兼用の醗酵用袋体１１のまま、大型トラック１２に積み込んで出荷する。
【００１０】
「混合割合」（出荷兼用醗酵用袋体1袋（1ton）当たりの割合）
・堆肥＝500Kg・支障木・木根株・剪定枝＝200Kg・菌床廃オガ粉＝200Kg・有機廃棄物＝100Kg
【００１１】
【発明の効果】
本発明は上記の構成であるから、原料として使用する公共下水処理場・公共尿尿処理場等で生産される堆肥には重金属が含まれ、その量が肥料取締まり規制値以下でも農場等には毎年施肥することにより、重金属が蓄積されるため好ましくないが本発明によれば、緑化工事の土として使用するのは一度だけでその目的が達成されるため、重金属が蓄積されることがなく、環境保護に好適である。
【００１２】
また、加熱機や醗酵機等の機械設備を一切使わないで公共の汚泥処理場又は家庭から発生する生活廃棄の汚泥物や屎尿物に、空隙・保水・消臭機能を有する細かく破砕した木粒を他の有機廃棄物と−緒に混合して、あとは一定条件の下で自然醗酵させることによって各種の緑化工事に用いる製品となる土が得られる。さらに、前記の支障木は、正規の製材は−切使わず、林地開発の際に発生する未利用木材、製材の残材、杉や松の間伐材、松くい材、木製建造物の取壊しによる廃棄木材、風倒木、輸入原木材の樹皮、大量の廃棄割り箸その他廃棄木材を用いるものであるから、その加工コストはきわめて安価でしかも廃材のリサイクルに役立ち且つ間伐材の有効利用できるものである。
【００１３】
そして、前記の一定の粒子に破砕した支障木や木根株によって醗酵時の空隙保持材となって醗酵の促進に役立つと共に、法面へのノズル噴射の際に搬送ホース内に付着する細かい粒子の塊を除去し、搬送ホース内での材料による閉塞を回避できる。しかも、法面工事の緑化用土に使用する場合は、保水性や通気性及び繋ぎ材の効果が高く、雨水などによる流失や乾燥による亀甲状のヒビ割れを防止し、且つモルタル吹付け機による緑化施工時の圧さ管理に役立ちきわめて有効である。
【図面の簡単な説明】
【図１】本発明に係る有機汚泥物の醗酵促進工程を示す概略面図である。
【符号の説明】
１  堆肥
２  支障木
３  木根株
４  剪定技
５  破砕機
６  木粒
７  菌床廃オガ粉
８  有機廃棄物
９  混合機
10  混合物
11  出荷兼用の醗酵促進用袋体
12  出荷用車輌
【図１】
0003691245.tif 000002